(57)【要約】  本発明は、一種または二種以上の次式（Ｉ）のＮ−メチル−Ｎ−アシルグルカミンの腐食抑制剤としての使用に関し：2017514987.tif 000012式中、Ｒ１は、７〜２１個の炭素原子を有する直鎖または分岐鎖、飽和または不飽和ヒドロカルビル基である。
2017514987.tif 000002
【特許請求の範囲】
【請求項１】
（ａ）一種または二種以上の次式（Ｉ）のＮ−メチル−Ｎ−アシルグルカミンの腐食抑制剤としての使用：
【化１】
2017514987.tif 000011
式中、Ｒ１は、７〜２１個の炭素原子を有する直鎖または分岐鎖、飽和または不飽和ヒドロカルビル基である。
【請求項２】
Ｒ１が脂肪族基である、請求項１に記載の使用。
【請求項３】
Ｒ１が１１〜１７個の炭素原子を有するヒドロカルビル基である、請求項１または２に記載の使用。
【請求項４】
Ｒ１がアルキルまたはアルケニル基である、請求項１〜３のいずれか一つに記載の使用。
【請求項５】
Ｒ１が直鎖Ｃ１３またはＣ１７アルキル基である、請求項１〜４のいずれか一つに記載の使用。
【請求項６】
２〜６種の前記式（Ｉ）の異なる化合物が使用される、請求項１〜５のいずれか一つに記載の使用。
【請求項７】
前記式（Ｉ）の化合物が、少なくとも８０質量％のＮ−メチル−Ｎ−Ｃ１２アシルグルカミンとＮ−メチル−Ｎ−Ｃ１４アシルグルカミンとを含む、請求項１〜６のいずれか一つに記載の使用。
【請求項８】
前記式（Ｉ）の化合物が、少なくとも８０質量％のＮ−メチル−Ｎ−Ｃ１６アシルグルカミンとＮ−メチル−Ｎ−Ｃ１８アシルグルカミンとを含む、請求項１〜６のいずれか一つに記載の使用。
【請求項９】
次式（ＩＩ）の一種または二種以上の有機酸またはその塩：
Ｒ２−ＣＯＯＭ      （ＩＩ）
（式中、Ｒ２は、５〜２９個の炭素原子を有する直鎖若しくは分岐鎖アルキル基または直鎖若しくは分岐鎖、一飽和若しくは多不飽和アルケニル基であり、
Ｍは、水素または一種または二種以上の陽イオンであり、ここで、該陽イオンは電荷平衡量で存在する。）、および
（ｃ）次式（ＩＩＩ）の一種または二種以上のアルカノールアミン：
ＮＲ１Ｒ２Ｒ３    （ＩＩＩ）
（式中、Ｒ１、Ｒ２およびＲ３は、水素、１〜４個の炭素原子を有する直鎖若しくは分岐鎖アルキル基、５〜７個の炭素原子を有するシクロアルキル基、２〜５個の炭素原子および１若しくは２個のヒドロキシル基を有する直鎖若しくは分岐鎖ヒドロキシアルキル基、または２〜６個の炭素原子を有するヒドロキシエーテル基であるが、ただし、これらの基の少なくとも一つは、ヒドロキシアルキル基またはヒドロキシエーテル基であるものとする。）を含む組成物中における、請求項１〜８のいずれか一つに記載の使用。
【請求項１０】
記式（ＩＩ）におけるＲ２が、９〜１２個の炭素原子を有するアルキルまたはアルケニル基である、請求項９に記載の使用。
【請求項１１】
得られる組成物が、
ａ）１質量％〜５０質量％の前記式（Ｉ）の一種または二種以上のＮ−メチル−Ｎ−アシルグルカミン、
ｂ）０．１質量％〜２３質量％の式（ＩＩ）の少なくとも１種の有機酸またはその塩および
ｃ）０．０５質量％〜４２質量％の式（ＩＩＩ）の少なくとも１種のアルカノールアミン
ｄ）合計１００質量％となるさらなる成分
を含む、請求項９または１０に記載の使用。
【請求項１２】
前記のさらなる成分が、一種または二種以上の乳化剤、一種または二種以上の殺生物剤、一種または二種以上の追加の腐食抑制剤、一種または二種以上のＡＷ添加剤、一種または二種以上のＥＰ添加剤、一種または二種以上の消泡剤、一種または二種以上の酸化防止剤、一種または二種以上のカップリング剤、一種または二種以上のアルカリ金属またはアルカリ土類金属、一種または二種以上の可溶化剤、ｐＨ調整剤、および水から選択される、請求項１１に記載の使用。
【請求項１３】
成分（ａ）〜（ｃ）または（ａ）〜（ｄ）から構成される前記組成物の５％〜４０質量％が、成分（ａ）〜（ｃ）または（ａ）〜（ｄ）の前記組成物および一種または二種以上の油を含む総量に基づいて６０％〜９５質量％の量の当該一種または二種以上の油とを混合させる、請求項１〜１２のいずれか一つに記載の使用。
【請求項１４】
前記一種または二種以上の油が、鉱油、パラフィン、イソパラフィン、シクロパラフィン、ナフテン、飽和環状炭化水素、芳香族炭化水素、合成油、ポリ−アルファ−オレフィン、ポリアルキレングリコール（ＰＡＧｓ）およびエステル油から成る群から選択される、請求項１３に記載の使用。
【請求項１５】
前記油が鉱油である、請求項１４に記載の使用。
【発明の詳細な説明】
【技術分野】
【０００１】
本発明は、Ｎ−メチル−Ｎ−アシルグルカミンの腐食抑制剤としての使用に関する。
【背景技術】
【０００２】
様々な用途、例えば、水性金属処理および金属加工流体、特に防食剤、洗剤および冷却潤滑剤エマルジョンを製造するために、腐食抑制効果を有する組成物が求められている。腐食抑制剤は、金属部品を処理加工する産業段階中に、金属、例えば鉄、アルミニウム、亜鉛、銅またはそれらの合金を腐食から保護し、かつ、錆の発生を防止することを目的とするものである。
【０００３】
無機および有機化合物の多くが水溶性腐食抑制剤として知られている。無機腐食抑制剤は、例えば、クロム酸塩、亜硝酸塩またはリン酸塩をベースとする場合があるが、これらのものは毒物学的および環境上の理由から、多かれ少なかれ不利である。有機腐食抑制剤は、カルボン酸塩、アミン、アミドまたは窒素含有複素環式化合物をベースとする場合が多い。
【０００４】
ポリヒドロキシ脂肪酸アミド並びにその洗浄用および清浄用組成物における非イオン性界面活性剤としての使用が多数の明細書に記載されている。
【０００５】
ＷＯ９４／１２６０９号には、特に繊維製品または陶器上の油汚れに対する良好な洗浄作用を有するポリヒドロキシ脂肪酸アミドを含む洗浄用および清浄用組成物が教示されている。
【０００６】
ＷＯ９８／４１６０１号には、調理器具上における脂ぎった油性の汚れを除去しかつ非腐食性である、ポリヒドロキシ脂肪酸アミドを含む洗浄用組成物が教示されている。
【０００７】
ＷＯ９５／２３８４０号には、良好な着色防止を特徴とする、ポリヒドロキシ脂肪酸アミドを含む洗浄用組成物が教示されている。
【０００８】
ＥＰ０７４５７１９には、ポリヒドロキシ脂肪酸アミドを含む炭水化物化合物を、繊維材料を繊維反応性染料で着色または印刷するための補助剤として使用することが記載されている。
【先行技術文献】
【特許文献】
【０００９】
【特許文献１】国際公開第９４／１２６０９号パンフレット
【特許文献２】国際公開第９８／４１６０１号パンフレット
【特許文献３】国際公開第９５／２３８４０号パンフレット
【特許文献４】欧州特許第０７４５７１９号明細書
【発明の概要】
【発明が解決しようとする課題】
【００１０】
特に環境適合性に関して既知の腐食抑制剤よりも優れ、かつ、非常に良好な腐食抑制作用を示す水溶性腐食抑制剤を提供することが本発明の目的であった。
【００１１】
驚くべきことに、水の存在下でのＮ−メチル−Ｎ−アシルグルカミンが、金属表面への有意な腐食抑制作用を示し、さらに良好な環境適合性および安全な使用を示すことが分かった。
【課題を解決するための手段】
【００１２】
したがって、本発明は、
（ａ）一種または二種以上の次式（Ｉ）のＮ−メチル−Ｎ−アシルグルカミンの腐食抑制剤としての使用を提供する：
【化１】
2017514987.tif 000003
（式中、Ｒ１は、７〜２１個の炭素原子を有する直鎖または分岐鎖、飽和または不飽和ヒドロカルビル基である。）。
【００１３】
Ｎ−メチル−Ｎ−アシルグルカミンについてのさらなる名称は、Ｎ−メチル−Ｎ−１−デオキシソルビトール脂肪酸アミド、Ｎ−アシル−Ｎ−メチルグルカミン、グルカミドまたはＮ−メチル−Ｎ−アルキルグルカミドである。
【００１４】
前記式（Ｉ）のＮ−メチル−Ｎ−アシルグルカミンは、金属表面を腐食から保護するのに有効であり、界面活性であり、しかも金属処理および金属加工流体のための水性濃縮物を配合するのに不可欠な高い分散性を有する。
【００１５】
さらに、本発明は、水で希釈することによりすぐに使用できる腐食防止、洗浄剤および冷却潤滑剤エマルジョンを与える油水混和性エマルジョン濃縮物を製造するための一種または二種以上の前記式（Ｉ）のＮ−メチル−Ｎ−アシルグルカミンの使用を提供する。
【００１６】
さらに、本発明は、一種または二種以上の前記式（Ｉ）のＮ−メチル−Ｎ−アシルグルカミンの、腐食防止組成物、金属用洗剤および冷却潤滑剤エマルジョンの成分としての使用を提供する。
【００１７】
さらに、本発明は、金属表面と一種または二種以上の前記式（Ｉ）のＮ−メチル−Ｎ−アシルグルカミンとを接触させることによって、金属表面上の腐食の形成を防止または低減させる方法を提供する。
【発明を実施するための形態】
【００１８】
好ましい実施形態例においては、Ｒ１は、脂肪族基である。
【００１９】
本発明の好ましい実施形態では、Ｒ１は、１１〜１７個の炭素原子を有する直鎖または分岐の飽和または不飽和ヒドロカルビル基である。特に、Ｒ１は、直鎖または分岐鎖アルキルまたはアルケニル基である。より好ましくは、Ｒ１は、直鎖飽和または不飽和Ｃ１１、Ｃ１３、Ｃ１５またはＣ１７基、特に不飽和Ｃ１７基である。
【００２０】
本発明の特に好ましい実施形態は、少なくとも２〜６種の異なる前記式（Ｉ）のＮ−メチル−Ｎ−アシルグルカミンの混合物の使用であり、ここで、２〜６種の異なるＮ−メチル−Ｎ−アシルグルカミンは異なるアシル基（−ＣＯＲ１）を有する。
【００２１】
本発明の特に好ましい実施形態は、少なくとも８０質量％の範囲でＮ−メチル−Ｎ−Ｃ１２アシルグルカミンとＮ−メチル−Ｎ−Ｃ１４アシルグルカミンとを含む前記式（Ｉ）のＮ−メチル−Ｎ−アシルグルカミンの使用である。
【００２２】
本発明の同様に特に好ましい実施形態は、の少なくとも８０質量％の範囲でＮ−メチル−Ｎ−Ｃ１６−アシルグルカミンとＮ−メチル−Ｎ−Ｃ１８−アシルグルカミンとを含む式（Ｉ）のＮ−メチル−Ｎ−アシルグルカミンの使用である。
【００２３】
式（Ｉ）のＮ−アシル−Ｎ−メチルグルカミンは、対応する脂肪酸メチルエステルおよびＮ−メチルグルカミンからＥＰ０５５０６３７号に記載された方法で製造できる。脂肪酸メチルエステルの脂肪酸は、好ましくは、９−オクタデセン酸（オレイン酸）、オクタデカ−９，１２−ジエン酸（リノール酸）、オクタン酸（カプリル酸）、デカン酸（カプリン酸）、ドデカン酸（ラウリン酸）、テトラデカン酸（ミリスチン酸）、ヘキサデカン酸（パルミチン酸）、オクタデカン酸（ステアリン酸）およびｎ−ドコサン酸（ベヘン酸）よりなる群から選択される。
【００２４】
特に好ましくは、組成物中における一種または二種以上の前記式（Ｉ）のＮ−メチル−Ｎ−アシルグルカミンの腐食抑制剤としての使用であり、当該組成物は、
次式（ＩＩ）の一種または二種以上の有機酸またはその塩：
Ｒ２−ＣＯＯＭ      （ＩＩ）
（式中、Ｒ２は、５〜２９個の炭素原子を有する直鎖若しくは分岐鎖アルキル基または直鎖若しくは分岐鎖、一飽和若しくは多不飽和アルケニル基であり、
Ｍは、水素または一種または二種以上の陽イオンであり、ここで、該陽イオンは電荷平衡量で存在する。）、および
（ｃ）次式（ＩＩＩ）の一種または二種以上のアルカノールアミン：
ＮＲ１Ｒ２Ｒ３    （ＩＩＩ）
（式中、Ｒ１、Ｒ２およびＲ３は、水素、１〜４個の炭素原子を有する直鎖若しくは分岐鎖アルキル基、５〜７個の炭素原子を有するシクロアルキル基、２〜５個の炭素原子および１若しくは２個のヒドロキシル基を有する直鎖若しくは分岐鎖ヒドロキシアルキル基、または２〜６個の炭素原子を有するヒドロキシエーテル基であるが、ただし、これらの基の少なくとも一つは、ヒドロキシアルキル基またはヒドロキシエーテル基であるものとする）を含む。
【００２５】
これらの組成物は、水で希釈することによりすぐに使用できる腐食防止、洗浄剤および冷却潤滑剤エマルジョンを与える油水混和性エマルジョン濃縮物を製造するために使用されることが好ましい。
【００２６】
好ましい実施形態においては、前記式（ＩＩ）におけるＲ２は、９〜２１個の炭素原子を有するアルキルまたはアルケニル基である。
【００２７】
前記組成物中に存在する式（ＩＩ）の一種または二種以上の有機酸またはその塩としては、以下から選択されることが好ましい；カプリル酸、ペラルゴン酸、カプリン酸、ラウリン酸、ミリスチン酸、パルミチン酸、マルガリン酸、ステアリン酸、アラキン酸、ベヘン酸、リグノセリン酸、セロチン酸、モンタン酸、メリシン酸、ウンデシレン酸、ミリストレイン酸、パルミトレイン酸、ペトロセリン酸、オレイン酸、エライジン酸、バクセン酸、ガドレイン酸、エイコセン酸、セトレイン酸、エルカ酸、ネルボン酸、リノール酸、α−リノレン酸、γ−リノレン酸、カレンジン酸、プニカ酸、α−エレオステアリン酸、β−エレオステアリン酸、アラキドン酸、エイコサペンタエン酸、クルパノドン酸、ドコサヘキサエン酸、ベルノリン酸、リシノール酸およびそれらの塩から選択される。特に好ましいのは、特にヤシ油、パーム核油、オリーブ油およびトール油（ＴＯＦＡ）または獣脂の脂肪酸およびそれらの塩、さらにナフテン酸とその塩。Ｌｉ＋、Ｎａ＋、Ｋ＋、Ｍｇ＋＋、Ｃａ＋＋、Ａｌ＋＋＋および／またはＮＨ４＋塩の形態の脂肪酸塩を使用することが好ましい。同様に、モノアルキルアンモニウム塩、ジアルキルアンモニウム塩、トリアルキルアンモニウム塩および／またはテトラアルキルアンモニウム塩が好ましく、ここで、これらのアミンのアルキル置換基は、それぞれ独立して、３個までの（Ｃ２〜Ｃ１０）ヒドロキシ基によって占められていてよい（Ｃ１〜Ｃ２２）アルキル基であることができる。
【００２８】
特に好ましくは、組成物中における一種または二種以上の前記式（Ｉ）のＮ−メチル−Ｎ−アシルグルカミンの腐食抑制剤としての使用であり、当該組成物は、トール油脂肪酸（ＴＯＦＡ）および／またはヤシ脂肪酸（ＣＣ）またはそれらの塩を含む。ＲOＭＰＰに記載されているようなトール油脂肪酸（ＴＯＦＡ）（オンラインＩＤ＝ＲＤ−２０−００１４９）は、主として一不飽和、二不飽和および三不飽和Ｃ１８炭素鎖を有する式（ＩＩ）のモノカルボン酸である。ヤシ脂肪酸は、主としてＣ８〜Ｃ１８脂肪酸、主にカプリル酸、ラウリン酸、カプリン酸、パルミチン酸、ステアリン酸、ミリスチン酸およびオレイン酸から構成される。
【００２９】
特に好ましくは、組成物中における一種または二種以上の前記式（Ｉ）のＮ−メチル−Ｎ−アシルグルカミンの腐食抑制剤としての使用であり、当該組成物は、以下から選択される前記式（ＩＩＩ）のアルカノールアミンを含む、モノエタノールアミンＨＯＣＨ２ＣＨ２ＮＨ２、ジエタノールアミン（ＨＯＣＨ２ＣＨ２）２ＮＨ、トリエタノールアミン（ＨＯＣＨ２ＣＨ２）３Ｎ、モノイソプロパノールアミンＣＨ３ＣＨＯＨＣＨ２ＮＨ２、２−アミノ−２−メチル−１−プロパノールＨＯＣＨ２Ｃ（ＣＨ３）２ＮＨ２、２−アミノ−１−ブタノールＣＨ３ＣＨ２ＣＨＮＨ２ＣＨ２ＯＨ、ジグリコールアミンＨＯＣＨ２−ＣＨ２ＯＣＨ２ＣＨ２ＮＨ２、メチルエタノールアミンＨＯＣＨ２ＣＨ２Ｎ（ＣＨ３）Ｈ、ジメチルエタノールアミンＨＯＣＨ２ＣＨ２Ｎ（ＣＨ３）２、メチルジエタノールアミン（ＨＯＣＨ２ＣＨ２）２ＮＣＨ３、エチルアミノエタノールＨＯＣＨ２ＣＨ２Ｎ（Ｈ）（ＣＨ２ＣＨ３）、ジエチルアミノエタノールＨＯＣＨ２ＣＨ２Ｎ（ＣＨ２ＣＨ３）２、２−アミノ−２−エチルプロパン−１，３−ジオールＨＯＣＨ２Ｃ（Ｃ２Ｈ５）ＮＨ２ＣＨ２ＯＨ、ジメチルアミノ−２−プロパノールＣＨ３ＣＨＯＨＣＨ２Ｎ（ＣＨ３）２、イソプロピルアミノエタノールＨＯＣＨ２ＣＨ２Ｎ（Ｈ）（ＣＨ（ＣＨ３）２）、イソプロピルアミノジエタノール（ＨＯＣＨ２ＣＨ２）２Ｎ（ＣＨ（ＣＨ３）２）、ジイソプロピルアミノエタノールＨＯＣＨ２ＣＨ２Ｎ（ＣＨ（ＣＨ３）２）２、ｎ−ブチルアミノエタノールＨＯＣＨ２ＣＨ２Ｎ（Ｈ）（（ＣＨ２）３ＣＨ３）、ジブチルアミノエタノールＨＯＣＨ２ＣＨ２Ｎ（（（ＣＨ２）３ＣＨ３）２、ｎ−ブチルジエタノールアミン（ＨＯＣＨ２ＣＨ２Ｎ（（（ＣＨ２）３ＣＨ３）２、ｔ−ブチルエタノールＨＯＣＨ２ＣＨ２ＮＨＣＣＨ３）３およびＮ−シクロヘキシルジエタノールアミン（ＨＯＣＨ２ＣＨ２）２Ｎ（Ｃ６Ｈ１１）。
【００３０】
さらに好ましくは、組成物中における一種または二種以上の前記式（Ｉ）のＮ−メチル−Ｎ−アシルグルカミンの腐食抑制剤としての使用であり、当該組成物は、モノエタノールアミン、ジエタノールアミン、トリエタノールアミン、ジグリコールアミン、モノイソプロパノールアミンおよび２−アミノ−２−メチル−１−プロパノールおよびそれらの混合物から選択される少なくとも１種のアルカノールアミンを含む。
【００３１】
本発明のさらに特に好ましい実施形態としては、組成物中における一種または二種以上の前記式（Ｉ）のＮ−メチル−Ｎ−アシルグルカミンの腐食抑制剤としての使用であり、当該組成物は、式（ＩＩ）の少なくとも１種の有機酸またはその塩、式（ＩＩＩ）の少なくとも１種のアルカノールアミンを含み、
ａ）式（Ｉ）の一種または二種以上のメチルグルカミン１質量％〜５０質量％、
ｂ）式（ＩＩ）の少なくとも１種の有機酸またはその塩０．１質量％〜２３質量％および
ｃ）式（ＩＩＩ）の少なくとも１種のアルカノールアミン０．０５質量％〜４２質量％
ｄ）合計１００質量％となるさらなる成分
を含むことを特徴とする。
【００３２】
本発明のさらに特に好ましい実施形態としては、本発明の使用は、一種または二種以上の乳化剤、一種または二種以上の殺生物剤、一種または二種以上の追加の腐食抑制剤、一種または二種以上のＡＷ添加剤、一種または二種以上のＥＰ添加剤、一種または二種以上の消泡剤、一種または二種以上の酸化防止剤、一種または二種以上のカップリング剤、一種または二種以上のアルカリ金属またはアルカリ土類金属、一種または二種以上の可溶化剤、ｐＨ調整剤、鉱油および水から選択されるさらなる成分により影響される。
【００３３】
乳化剤としては、好ましくは、陰イオン性、非イオン性、陽イオン性および両性乳化剤から選択される。好ましくは、陰イオン性および／または非イオン性乳化剤である。
【００３４】
有用な陰イオン性乳化剤としては、次のものが挙げられる：
・スルホネート、特に石油スルホネート、オレフィンスルホネート、すなわちアルカンスルホネートとヒドロキシアルカンスルホネートとの混合物および例えば末端または内部二重結合を有するＣ１２〜Ｃ１８−モノオレフィンから、気体三酸化硫黄によるスルホン化、その後該スルホン化生成物のアルカリ性または酸性加水分化により得られるようなジスルホネート、Ｃ１２〜Ｃ１８−アルカンスルホネート、第二級アルカンスルホネート、Ｃ９〜Ｃ１３アルキルベンゼンスルホネート、α−ナフチルスルホネート、および［α］−スルホ脂肪酸のエステル（エステルスルホネート）、例えば水素化ヤシ、パーム核または獣脂脂肪酸の［α］−スルホン化メチルエステル、
・スルフェート、特にアルキル（アルケニル）スルフェート、例えばＣ１２〜Ｃ１８脂肪アルコール、例えばヤシ脂肪アルコール、獣脂脂肪アルコール、ラウリル、ミリスチル、セチル若しくはステアリルアルコールまたはＣ１０〜Ｃ２０オキソ法アルコールの硫酸モノエステルのアルカリ金属、特にナトリウム塩、また、アルキル（アルケニル）エーテルスルフェート、好ましくは１〜６モルのエチレンオキシドでエトキシル化された直鎖または分岐鎖Ｃ７〜Ｃ２１アルコール、例えば２−メチル−分岐鎖Ｃ９〜Ｃ１１アルコールの硫酸モノエステル、
・カルボキシレート、例えば脂肪酸石鹸、特にラウリン酸、ミリスチン酸、パルミチン酸、ステアリン酸、（水素化）エルカ酸およびベヘン酸の塩、特に天然脂肪酸、例えばヤシ、パーム核、オリーブ油または獣脂脂肪酸から誘導される石鹸混合物、ナフテン酸石鹸、
・次式（ＩＶ）のアルキルエーテルカルボキシレート：
ＲＯ−（ＣＨ２ＣＨ２Ｏ−）ｎＣＨ２−ＣＯＯＭ    （ＩＶ）
（式中、
Ｒは、飽和または１個以上の二重結合により不飽和でかつ８〜２２個の炭素原子を有する直鎖または分岐鎖炭化水素基であり、
ｎは１〜２０の数であり、
Ｍは対イオンである。）、
・アルケニルイミドコハク酸カルボキシレート
・脂肪酸アミド
・リン酸エステル、アルコキシル化リン酸エステル。
【００３５】
陰イオン性乳化剤は、それらのナトリウム、カリウム若しくはマグネシウムまたはアンモニウム塩の形態で存在することができる。
【００３６】
陰イオン性乳化剤としては、一種または二種以上の陰イオン性乳化剤を、成分（ａ）〜（ｄ）からなる組成物に基づいて０質量％〜５０質量％、好ましくは０．５質量％〜４０質量％、より好ましくは１．０質量％〜３０質量％の量で使用するが好ましい。
【００３７】
有用な非イオン性乳化剤としては、次のものが挙げられる：
・アルコキシル化脂肪アルコール、有利にはエトキシル化されたもの、特に好ましくは８〜１８個の炭素原子およびアルコール１モル当たり平均１〜１２モルのエチレンオキシド（ＥＯ）を有する第一級アルコールであり、ここで、そのアルコール残基は、直鎖または２−メチル分岐基であることができる。好ましいエトキシル化アルコールとしては、例えば、３ＥＯ、４ＥＯまたは７ＥＯを有するＣ１２〜Ｃ１４アルコール、７ＥＯを有するＣ９〜Ｃ１１アルコール、３ＥＯ、５ＥＯ、７ＥＯまたは８ＥＯを有するＣ１３〜Ｃ１５アルコール、３ＥＯ、５ＥＯまたは７ＥＯを有するＣ１２〜Ｃ１８アルコールおよびこれらの混合物、例えば３ＥＯを有するＣ１２〜Ｃ１４アルコールと７ＥＯを有するＣ１２〜Ｃ１８アルコールとの混合物が挙げられ、典型的にはオキソ法アルコール基中に存在するときには混合物が含まれる。
・１〜１００個のアルコキシ基を有するアルコキシル化Ｃ８〜Ｃ２２脂肪酸のメチルエステル、ここで、該アルコキシ基は、ＣＨ２ＣＨ２Ｏ、Ｃ３Ｈ６ＯおよびＣ４Ｈ８Ｏから選択される１個の単位または異なる単位からなることができる。
・次式（Ｖ）の酸脂肪酸アミド
【化２】
2017514987.tif 000004
（式中、
Ｒは７〜２１個、好ましくは９〜１７個の炭素原子を有するアルキル基であり、
それぞれのＲ１基は水素、Ｃ１〜Ｃ４アルキル、Ｃ１〜Ｃ４ヒドロキシアルキルまたは（Ｃ２Ｈ４Ｏ）ｘＨ（ここでｘは１、２または３である。）である。）。
Ｃ８〜Ｃ２０アミド、モノエタノールアミド、ジエタノールアミドおよびイソプロパノールアミドが好ましい。
・アルキルフェノールポリグリコールエーテル、好ましくは直鎖または分岐鎖であってよいＣ６〜Ｃ２０アルキル基を有するアルキルフェノールとアルキレンオキシドとの縮合生成物。
・次式（ＶＩ）のアミン酸化物：
【化３】
2017514987.tif 000005
（式中、
Ｒは８〜２２個の炭素原子の鎖長を有するアルキル、ヒドロキシアルキルまたはアルキルフェノール基であり、
Ｒ２は２〜３ 個の炭素原子を有するアルキレン若しくはヒドロキシアルキレン基またはそれらの混合物であり、
それぞれのＲ１基は１〜３個の炭素原子を有するアルキル若しくはヒドロキシアルキル基または１〜３個のエチレンオキシド単位を有するポリエチレンオキシド基であり、
ｘは０〜１０の数である。）。
・次式（ＶＩＩ）のアルキルポリグリコシド：
【化４】
2017514987.tif 000006
（式中、Ｒは、８〜２２個、好ましくは１２〜１８個の炭素原子を有する第一級直鎖またはメチル分岐、特に２−メチル分岐の脂肪族基であり、ｍは１〜５である。）。
【００３８】
非イオン性乳化剤を、成分（ａ）〜（ｄ）からなる組成物に基づいて０質量％〜５０質量％、好ましくは０．５質量％〜３０質量％、より好ましくは１．０質量％〜２０質量％の量で使用するが好ましい。
【００３９】
陽イオン性および両性乳化剤を、成分（ａ）〜（ｄ）からなる組成物に基づいて０質量％〜５０質量％、好ましくは０．５質量％〜４０質量％、より好ましくは１．０質量％〜３５質量％の量の量で使用するが好ましい。
【００４０】
水性金属処理および金属加工流体は、微生物にとって理想的な生息場所である。水性媒体中において、好ましい温度では、栄養素の供給過剰が存在する。微生物の増殖が阻害されないと、個々の成分が分解され、ｐＨ値が変化し、その結果、エマルジョンが不安定化する。さらに、生物学的物質の堆積物が浴中における冷却潤滑剤寿命の短縮をもたらす可能性がある。殺生物剤の効果は、細菌、酵母および真菌を死滅させることである。
【００４１】
したがって、本発明の好ましい実施形態は、脂肪酸またはそれらの塩、一種または二種以上のアルカノールアミンおよび少なくとも１種または１種を超える殺生物剤を含む組成物中における前記式（Ｉ）のＮ−メチル−Ｎ−アシルグルカミンの使用である。
【００４２】
殺生物剤は次のものから選択できる：
Ｎ−（３−アミノプロピル）−Ｎ−ドデシルプロパン−１，３−ジアミン、１−アザ−３，７−ジオキサ−５−エチルビシクロ［３．３．０］オクタン、５−エチル−３，７−ジオキサ−１−アザビシクロ［３．３．０］オクタン
１，２−ベンズイソチアゾール−３（２Ｈ）−オン（ＢＩＴ）
ベンジルアルコールモノ（ポリ）ヘミホルマル（（ベンジルオキシ）メタノール）
ビフェニル−２−オール（２−フェニルフェノール）
１，３−ビス（ヒドロキシメチル）−５，５−ジメチルイミダゾリジン−２，４−ジオン（１，３−ジメチロール−５，５−ジメチルヒダントイン、ＤＭＤＭＨ）
ビスモルホリノメタン、４，４’−メチレンビスモルホリン
２−ブチルベンゾ［ｄ］イソチアゾール−３−オン（ＢＢＩＴ）
ｃｉｓ−１−（３−クロロアリル）−３，５，７−トリアザ−１−アゾニアアダマンタンクロリド（ｃｉｓ−ＣＴＡＣ）
ｐ−クロロ−ｍ−クレゾール（４−クロロ−３−メチルフェノール、クロロクレゾール）
５−クロロ−２−メチル−２，３−ジヒドロイソチアゾール−３−オン／２−メチル−２，３−ジヒドロイソチアゾール−３−オン（３（２Ｈ）−イソチアゾロン、５−クロロ−２−メチル、２−メチル−３（２Ｈ）−イソチアゾロンとの混合物）（ＣＭＩ／ＭＩ、ＣＭＩＴ／ＭＩＴ）
Ｎ−シクロヘキシルヒドロキシジアゼン１−オキシドカリウム塩（Ｎ−シクロヘキシル−Ｎ−ニトロソヒドロキシルアミンカリウム塩、（Ｎ−シクロヘキシルジアゼニウムジオキシ）カリウム、Ｋ−ＨＤＯ）
２，２−ジブロモ−２−シアナセタミド（２，２−ジブロモ−３−ニトリロプロピオンアミド、ＤＢＮＰＡ）
１，６−ジヒドロキシ−２，５−ジオキサヘキサン（（エチレンジオキシ）ジメタノール）
４，４’−ジメチルオキサゾリジン
１，３−ジメチロール−５，５−ジメチルヒダントイン；１，３−ビス（ヒドロキシメチル）−５，５−ジメチル−イミダゾリジン−２，４−ジオン参照
５−エチル−３，７−ジオキサ−１−アザビシクロ［３．３．０］オクタン（７ａ−エチルジヒドロ−１Ｈ，３Ｈ，５Ｈ−オキサゾロ−［３，４−ｃ］−オキサゾール、１−アザ−３，７−ジオキサ−５−エチルビシクロ［３．３．０］オクタン）（ＥＤＨＯ）
（エチレンジオキシ）ジメタノール、１，６−ジヒドロキシ−２，５−ジオキサヘキサン
グルタルアルデヒド（グルタラール）
（２，２’，２”−（ヘキサヒドロ−１，３，５−トリアジン−１，３，５−トリイル）トリエタノール）；１，３，５−トリス（２−ヒドロキシエチル）ヘキサヒドロ−１，３，５−トリアジン参照
ヘキサメチレンテトラミン−３−クロロアリルクロリド（メテナミン−３−クロロアリルクロリド、（１，３，５，７−テトラアザ−１−（３−クロロ−２−プロペニル）トリシクロ［３．３．１．１｜＜３，７＞デカンクロリド、ＣＴＡＣ
３−ヨード−２−プロピニルブチルカルバメート（ＩＰＢＣ）
メテナミン−３−クロロアリルクロリド、ヘキサメチレンテトラミン−３−クロロアリルクロリド
２−メチル−２，３−ジヒドロイソチアゾール−３−オン（２−メチル−２Ｈ−イソチアゾール−３−オン、ＭＩ、ＭＩＴ）
３，３’−メチレンビス（５−メチルオキサゾリジン）（ＭＢＯ）
４，４’−メチレンビスモルホリン（Ｎ，Ｎ’−メチレンビスモルホリン、メチレンビス−（テトラヒドロ−１，４−オキサジン）、ビスモルホリノメタン）
ナトリウムピリチオン、ピリジン−２−チオール１−オキシドナトリウム塩
２−ｎ−オクチル−２，３−ジヒドロイソチアゾール−３−オン（２−オクチル−２Ｈ−イソチアゾール−３−オン）（ＯＩＴ、「オクチリノン」）
４−（２−ニトロブチル）モルホリン
２−フェノキシエタノール
２−フェニルフェノール、ビフェニル−２−オール
ピリジン−２−チオール１−オキシドナトリウム塩（「ナトリウムピリチオン」）
１，３，５，７−テトラアザ−１−（３−クロロ−２−プロペニル）トリシクロ［３．３．１．１＜３，７＞］デカンクロリド、ヘキサメチレンテトラミン−３−クロロアリルクロリド
１，３，４，６−テトラ（ヒドロキシメチル）−［３ａＨ，６ａＨ］−１，３，４，６−テトラアザビシクロオクタン−２，５−ジオン（テトラヒドロ−１，３，４，６−テトラキス（ヒドロキシメチル）イミダゾ［４，５−ｄ］イミダゾール−２，５（１Ｈ，３Ｈ）−ジオン、ＴＭＡＤ）
１，３，５−トリス（２−ヒドロキシエチル）ヘキサヒドロ−１，３，５−トリアジン（２，２’，２”−（ヘキサヒドロ−１，３，５−トリアジン−１，３，５−トリイル）トリエタノール、ＨＨＴ）
１，３，５−トリス（２−ヒドロキシプロピル）ヘキサヒドロ−１，３，５−トリアジン（ａ，ａ’，ａ”−トリメチル−１，３，５−トリアジン−１，３，５（２Ｈ，４Ｈ，６Ｈ）−トリエタノール）
６−アセトキシ−２，４−ジメチル−ｍ−ジオキサン-２，６−ジメチル−１，３−ジオキサン−４−イルアセテート
アルキル（Ｃ１２〜Ｃ１４）［（エチルフェニル）メチル］ジメチルアンモニウムクロリド（化学量論的）
Ｎ−アルキル（Ｃ１０〜Ｃ１６）トリメチレンジアミンおよびクロロ酢酸との反応生成物
１−［２−（アリルオキシ）−２−（２，４−ジクロロフェニル）エチル］−１Ｈ−イミダゾール（「イマザリル」）
（＋／−）１−［２−（β−アリルオキシ）−２−（２，４−ジクロロフェニル）エチル］−１Ｈ−イミダゾール（「工業等級イマザリル」）
アルミニウムナトリウムシリケート−銀錯体／銀ゼオライト
ギ酸
Ｂａｒｄａｐ２６、ポリ（オキシ−１，２−エタンジイル）−ａ−［２−（ジデシルメチルアンモニウム）エチル］−ｗ−ヒドロキシプロピオネート
ベンゾチアゾール−２−チオール
（ベンゾチアゾール−２−イルチオ）メチルチオシアネート（「ＴＣＭＴＢ」）
３−ベンゾ（ｂ）チエン−２−イル−５，６−ジヒドロ−１，４，２−オキサチアジン４−オキシド（「ベトキサジン」）
ベンジルアルキル（Ｃ１２〜Ｃ１４）ジメチルアンモニウムクロリド
ベンジルアルキル（Ｃ１２〜Ｃ１６）ジメチルアンモニウムクロリド
ベンジルアルキル（Ｃ１２〜Ｃ１８）ジメチルアンモニウムクロリド
ベンジルアルキル（Ｃ１２〜Ｃ１８飽和および不飽和獣脂アルキル、ココアルキル、大豆アルキル）ジメチルアンモニウムクロリド、ブロミドまたはヒドロキシド
ベトキサジン、３−ベンゾ（ｂ）チエン−２−イル−５，６−ジヒドロ−１，４，２−オキサチアジン４−オキシド
ビス（３−アミノプロピル）オクチルアミン
１，３−ビス（ヒドロキシメチル）尿素（１，３−ジメチロール尿素）
１，３−ビス（ヒドロキシメチル）尿素、２−（２−ブトキシエトキシ）エタノール、エチレングリコールおよびホルムアルデヒドとの反応生成物（「ホルムアルデヒドデポアルファ」）
ＢＫＣ、ベンジルアルキルジメチルアンモニウムクロリド、ブロミドまたはヒドロキシド
２−ブロモ−２−（ブロモメチル）ペンタンジニトリル、１，２−ジブロモ−２，４−ジシアノブタン
４−ブロモ−２−（４−クロロフェニル）−１−（エトキシメチル）−５−（トリフルオロメチル）−１Ｈ−ピロール−３−カルボニトリル（「クロルフェナピル」）
１，３−ブロモクロロ−５，５−ジメチルイミダゾリジン−２，４−ジオン（ブロモクロロ−５，５−ジメチルヒダントイン）
２−ブロモ−２−ニトロプロパン−１，３−ジオール（「ブロノポール」）
（２−ブロモ−２−ニトロビニル）ベンゼン
メタクリル酸２−ｔ−ブチルアミノエチル、単独重合体
ｃｉｓ−４−［３−（ｐ−ｔ−ブチルフェニル）−２−メチルプロピル］−２，６−ジメチルモルホリン（「フェンプロピモルフ」）
カルベンダジム、２−（メトキシカルボニルアミノ）ベンズイミダゾール
［２−［［２−［（２−カルボキシエチル）（２−ヒドロキシエチル）アミノ］エチル）アミノ］−２−オキソエチル］ココアルキルジメチルアンモニウムヒドロキシド、分子内塩（第四級アンモニウム化合物）
２−クロロアセトアミド
３−（３−クロロ−４−メチルフェニル）−１，１−ジメチル尿素（「クロロトルロン」）
クロルフェナピル、４−ブロモ−２−（４−クロロフェニル）−１−（エトキシメチル）−５−（トリフルオロメチル）−１Ｈ−ピロール−３−カルボニトリル
ＤＤＡＣ、ジアルキルジメチルアンモニウムクロリド、ブロミドまたはメチルスルフェート
ジアルキル（Ｃ８〜Ｃ１０）ジメチルアンモニウムクロリド
ジアルキル（Ｃ６〜Ｃ１８飽和および不飽和獣脂アルキル、ココアルキル、大豆アルキル）−ジメチルアンモニウムクロリド、ブロミドまたはメチルスルフェート（ＤＤＡＣ）
１，２−ジブロモ−２，４−ジシアノブタン（２−ブロモ−２−（ブロモメチル）ペンタンジニトリル）
２，４−ジクロロベンジルアルコール（２，４−ジクロロフェニルメタノール）
ジクロロフェン、２，２’−メチレンビス（４−クロロフェノール）フェノール
１−［［２−（２，４−ジクロロフェニル）−４−プロピル−１，３−ジオキソラン−２−イル］メチル］−１Ｈ−１，２，４−トリアゾール（「プロピコナゾール」）
ジデシルジメチルアンモニウムクロリド
Ｎ−ジデシル−Ｎ−ジポリエトキシアンモニウムボレート／ジデシルポリオキシエチルアンモニウムボレート（ＣＡＳ：ホウ酸、Ｎ−デシル−１−デカンアミン、オキシラン（エチレンオキシド）およびプロパン−１，２−ジオールとの重合体）
１，３−ジデシル−２−メチル−１Ｈ−イミダゾリウムクロリド
ｐ−［ジ（ヨードメチル）スルホニル］トルエン
Ｎ２，Ｎ４−ジイソプロピル−６−メチルチオ−１，３，５−トリアジン−２，４−ジアミン（「プロメトリン」）
二亜硫酸二カリウム
２，６−ジメチル−１，３−ジオキサン−４−イルアセテート（６−アセトキシ−２，４−ジメチル−ｍ−ジオキサン）
１，３−ジメチロール尿素、１，３−ビス（ヒドロキシメチル）尿素
二亜硫酸二ナトリウム
ジナトリウムエチレンビス（ジチオカルバメート）（「ナバム」）
ジナトリウムオクタボレート四水和物
２，２’−ジチオビス［Ｎ−メチルベンズアミド］
フェンプロピモルフ、ｃｉｓ−４−［３−（ｐ−ｔ−ブチルフェニル）−２−メチルプロピル］−２，６−ジメチルモルホリン
フルオメツロン；１，１−ジメチル−３−（３−トリフルオロメチルフェニル）尿素
ホウ酸
ホルムアルデヒド
ホルムアルデヒドデポアルファ、１，３−ビス（ヒドロキシメチル）尿素、２−（２−ブトキシエトキシ）エタノール、エチレングリコールおよびホルムアルデヒドとの反応生成物
５−ヒドロキシメトキシメチル−１−アザ−３，７−ジオキサビシクロ［３．３．０］オクタン（１６．０％）／５−ヒドロキシメチル−１−アザ−３，７−ジオキサビシクロ［３．３．０］オクタン（２８．８％）／５−ヒドロキシ−ポリ（メチレンオキシ）メチル−１−アザ−３，７−ジオキサビシクロ［３．３．０］オクタン（５．２％）／水（５０％）混合物
２−（ヒドロキシメチル）−２−ニトロプロパン−１，３−ジオール（ニトロメチリデントリメタノール、「トリスニトロ」）
１−ヒドロキシ−２（１Ｈ）−ピリジノン（ヒドロキシ−２−ピリドン）
イマザリル、１−［（２−アリルオキシ）−２−（２，４−ジクロロフェニル）エチル］−１Ｈ−イミダゾール
工業等級イマザリル、（＋／−）−１−［２−（β−アリルオキシ）−２−（２，４−ジクロロフェニルエチル］−１Ｈ−イミダゾール
３−（４−イソプロピルフェニル）−１，１−ジメチル尿素（「イソプロツロン」）
カリウム２−ビフェノキシド（カリウムｏ−フェニルフェノキシド）
カリウムジメチルジチオカルバメート
亜硫酸カリウム
リグニン
メタム−ナトリウム、ナトリウムメチルジチオカルバメート
２−（メトキシカルボニルアミノ）ベンズイミダゾール（メチルベンズイミダゾール−２−イルカルバメート、「カルベンダジム」）
２，２’−メチレンビス（４−クロロフェノール）フェノール（「ジクロロフェン」）
メチレンジチオシアネート
Ｌ（＋）−乳酸
ナバ（ｎａｂａ）、ジナトリウムエチレンビス（ジチオカルバメート）
ナトリウム２−ビフェノキシド（ナトリウムｏ−フェニルフェノキシド）
臭化ナトリウム
ナトリウムｐ−クロロ−ｍ−クレソキシド
ナトリウムジメチルジチオカルバメート
ナトリウム水素−２，２’−メチレンビス［４−クロロフェノキシド］
亜硫酸水素ナトリウム
ナトリウムメチルジチオカルバメート（「メタム−ナトリウム」）
ナトリウムｏ−フェニルフェノキシド、ナトリウム２−ビフェノキシド
亜硫酸ナトリウム
ニトロメチリデントリメタノール、２−（ヒドロキシメチル）−２−ニトロ−１，３−プロパンジオール
オリゴ（２−（２−エトキシ）エトキシエチルグアニジウムクロリド）
１−フェノキシ−２−プロパノール／２−フェノキシプロパノール混合物
フタルアルデヒド
ポリ（ヘキサメチレンジアミングアニジニウムクロリド）
ポリ（オキシ−１，２−エタンジイル）−ａ−［２−（ジデシルメチルアンモニウム）エチル］−ｗ−ヒドロキシプロパノエート（「Ｂａｒｄａｐ２６」）
プロメトリン、Ｎ２，Ｎ４−ジイソプロピル−６−メチルチオ−１，３，５−トリアジン−２，４−ジアミン
２−プロパンジオール、ホウ酸、Ｎ−デシル−１−デカンアミンおよびエチレンオキシド（オキシラン）との重合体；Ｎ−ジデシル−Ｎ−ジポリエトキシアンモニウムボレート／ジデシルポリオキシエチルアンモニウムボレート参照
２−プロペナルプロパン−１，２−ジオール共重合体
プロピコナゾール、１−［［２−（２，４−ジクロロフェニル）−４−プロピル−１，３−ジオキソラン−２−イル］メチル］１Ｈ−１，２，４−トリアゾール
ピリジン−２−チオール１−オキシド、亜鉛塩（「亜鉛ピリチオン」、「ピリチオン−亜鉛」）
二酸化硫黄
塩化銀
ＴＣＭＴＢ、（ベンゾチアゾール−２−イルチオ）メチルチオシアネート
Ｎ，Ｎ，Ｎ’，Ｎ’−テトラメチルエチレンジアミン−ビス（２−クロロエチル）エーテル共重合体（Ｎ，Ｎ，Ｎ’，Ｎ’−テトラメチル−１，２−エタンジアミン、１，１’−オキシビス（２−クロロエタン）との重合体）
２−（チアゾール−４−イル）ベンズイミダゾール（「チアベンダゾール」）
トリスニトロ、２−（ヒドロキシメチル）−２−ニトロプロパン−１，３−ジオール
亜鉛ピリチオン、ピリジン−２−チオール１−オキシド亜鉛塩。
【００４３】
本発明の好ましい実施形態においては、ホウ酸、１，２−ベンズイソチアゾール−３−（２Ｈ）−オン（ＢＩＴ）、３（２Ｈ）−イソチアゾロン、２−メチルメタノール［１，２−エタンジイルビス（オキシ）ビス（グリオキサールモノエチレンアセタール）］、ナトリウム２−ピリジンチオン−１−オキシド（ナトリウムピリチオン）、１，３，５−トリアジン−１，３，５（２Ｈ，４Ｈ，６Ｈ）−トリエタノール、モルホリン、４，４’−メチレンビス（１Ｈ，３Ｈ，５Ｈ）オキサゾロ［３，４−ｃ］オキサゾール、５−エチル−３，７−ジオキサ−１−アザビシクロ−［３．３．０］オクタン、３−ヨード−２−プロピニル  ブチルカルバメート（ＩＰＢＣ）よりなる群から選択される一種または二種以上の殺生物剤により当該使用が影響される。
【００４４】
組成物中における一種または二種以上の殺生物剤の濃度は、好ましくは、すぐに使用できる組成物に基づいて、例えば金属加工流体に基づいて０．００１％〜５．０質量％である。
【００４５】
該組成物は、本発明に従って腐食抑制剤として使用される式（Ｉ）のＮ−メチル−Ｎ−アシルグルカミンの他に、追加の腐食抑制剤、例えば有機酸およびそれらの塩、特にアルカリ金属石鹸、スルホネート、アミン、それらの無水物および塩、安息香酸誘導体およびホウ素化合物を含むことができる。
【００４６】
該組成物は、一種または二種以上の追加の腐食抑制剤を、すぐに使用できる組成物に基づいて、例えば金属加工流体に基づいて０質量％〜１０質量％の量で含有することができる。
【００４７】
好ましくは、組成物は、ＡＷ添加剤と呼ばれる摩耗減少剤を含み、これらは、吸着および化学吸着プロセスによって金属表面に結合し、金属摩耗を防止する。ＡＷ添加剤は、亜鉛およびリン化合物、好ましくは、ジチオリン酸亜鉛、ジアルキルジチオリン酸亜鉛、リン酸トリクレシル、塩素化パラフィン、グリセロールモノオレエート、脂肪酸およびそれらの塩、好ましくは、ステアリン酸、亜リン酸水素ジアルキル、例えばＤｕｒａｐｈｏｓ（登録商標）ＡＰ２３０として市販されている亜リン酸水素ジラウリル、亜リン酸トリアルキル、例えばＤｕｒａｐｈｏｓ（登録商標）ＴＬＰとして市販されている亜リン酸トリラウリルである。
【００４８】
高圧での使用について、ＡＷ添加剤は有効ではなく、極圧添加剤（ＥＰ添加剤）の使用を必要とする。
【００４９】
使用されるＥＰ添加剤は、通常、硫黄およびリン化合物である。問題の塩素化合物は、あるとすれば使用中にかろうじて残っている。硫黄含有添加剤は、鉄材料の場合には、吸着および化学吸着の前後に金属表面に硫化鉄層を形成する。
【００５０】
好適な例は、ジスルフィド（不活性硫黄キャリア−無臭）、ポリスルフィド、硫化オレフィン、硫化脂肪酸エステルおよびリン酸エステル、スルホン化オレフィン、亜鉛ジフェニルスルフィド、トリクロロステアリン酸メチル、塩素化ナフタレン、フルオロアルキルポリシロキサン、中和または部分中和ホスフェートおよびジチオホスフェートである。
【００５１】
該組成物は、一種または二種以上のＥＰ添加剤を、すぐに使用できる組成物に基づいて、例えば金属加工流体に基づいて０質量％〜１質量％、好ましくは０．０００５質量％〜０．５質量％、より好ましくは０．００５質量％〜０．０５質量％の量で含むことができる。
【００５２】
さらに、該組成物は、消泡剤、例えばシリコーン、特にジメチルシリコーン重合体、並びにケイ酸エステルおよびメタクリル酸アルキルを含むことができる。
【００５３】
寿命を改善するために、該組成物は、酸化防止剤、例えばフェノール誘導体、例えば４，４’−メチレンビス（２，６−ジ−ｔ−ブチルフェノール）、４，４’−ビス（２，６−ジ−ｔ−ブチルフェノール）、４，４’−ビス（２−メチル−６−ｔ−ブチルフェノール）、２，２’−メチレンビス（４−メチル−６−ｔ−ブチルフェノール）、４，４’−ブチリデンビス（３−メチル−６−ｔ−ブチルフェノール）、４，４’−イソプロピリデンビス（２，６−ジ−ｔ−ブチルフェノール）、２，２’−メチレンビス（４−メチル−６−ノニルフェノール）、２，２’−イソブチリデンビス（４，６−ジメチルフェノール）、２，２’−５−メチレンビス（４−メチル−６−シクロヘキシルフェノール）、２，６−ジ−ｔ−ブチル−４−メチルフェノール、２，６−ジ−ｔ−ブチル−４−エチルフェノール、２，４−ジメチル−６−ｔ−ブチルフェノール、２，６−ジ−ｔ−１−ジメチルアミノ−ｐ−クレゾール、２，６−ジ−ｔ−４−（Ｎ，Ｎ’−ジメチルアミノメチルフェノール）、４，４’−チオビス（２−メチル−６−ｔ−ブチルフェノール）、２，２’−チオビス（４−メチル−６−ｔ−ブチルフェノール）、ビス（３−メチル−４−ヒドロキシ−５−ｔ−１０−ブチルベンジル）スルフィドおよびビス（３，５−ジ−ｔ−ブチル−４−ヒドロキシベンジル）、ジフェニルアミン誘導体、例えばアルキル化ジフェニルアミン、フェニル−α−ナフチルアミンおよびアルキル化α−ナフチルアミンを含むことができる。同様に好適なのは、金属ジチオカルバメート、特に亜鉛ジチオカルバメートおよび１５−メチレンビス（ジブチルジチオカルバメート）である。
【００５４】
該組成物は、一種または二種以上の酸化防止剤を、すぐに使用できる組成物に基づいて、例えば金属加工流体に基づいて０質量％〜１質量％、好ましくは０．０００５質量％〜０．５質量％、より好ましくは０．００５質量％〜０．０５質量％の量で含むことができる。
【００５５】
組成物は、使用される乳化剤の乳化作用を高めるカップリング剤と呼ばれるものを含むことができる。スルホネート、特にリグノスルホネート、石油スルホネート、ドデシルベンジルスルホネートナトリウム塩およびスルフェート、例えばラウリル硫酸ナトリウム塩が好ましい。
【００５６】
該組成物は、一種または二種以上のカップリング剤を、すぐに使用できる組成物に基づいて、例えば金属加工流体に基づいて０質量％〜１０質量％、好ましくは０．００５質量％〜５質量％、より好ましくは０．５質量％〜３質量％の量で含むことができる。
【００５７】
該組成物は、アルカリ金属またはアルカリ土類金属塩、例えば炭酸ナトリウム、炭酸水素ナトリウムまたは炭酸カルシウをさらに含むことができる。
【００５８】
該組成物は、一種または二種以上のアルカリ金属またはアルカリ土類金属塩を、すぐに使用できる組成物に基づいて、例えば金属加工流体に基づいて０質量％〜５質量％、好ましくは０．００５質量％〜１質量％、より好ましくは０．０５質量％〜０．８質量％の量で含むことができる。
【００５９】
該組成物は、可溶化剤、例えばアルコール、グリコール、特にブチルジグリコール、プロピレングリコール、グリセロールまたはクメンスルホン酸ナトリウムを、すぐに使用できる組成物に基づいて、例えば金属加工流体に基づいて０質量％〜６質量％、好ましくは０．０５質量％〜５質量％、より好ましくは０．５質量％〜４質量％の量で含むことができる。
【００６０】
本発明の組成物のｐＨは、７〜１２、好ましくは８〜１１の範囲内にあるべきである。
【００６１】
（ａ）〜（ｄ）を含む上記組成物を「パフォーマンスパッケージング」として提供することができる。
【００６２】
金属処理および金属加工流体の製造について、一実施形態では、上記組成物と一種または二種以上の油との完成混合物に基づいて、「パフォーマンスパッケージング」の５％〜４０質量％、好ましくは１０％〜３０質量％、より好ましくは１５％〜２５質量％を、６０％〜９５質量％、好ましくは７０％〜９０質量％、より好ましくは７５％〜８５質量％の量の一種または二種以上の油と混合させる。このようにして得られた混合物は、当業者によってエマルジョン濃縮物と呼ばれている。これらのエマルジョン濃縮物は、使用者によって好ましくは１０〜５０部の水に対して１部のエマルジョン濃縮物の体積比で希釈され、かつ、例えば金属処理および金属加工流体として使用される。
【００６３】
エマルジョン濃縮物の自己乳化性のため、すぐに使用できるエマルジョン、例えば金属処理および金属加工流体が、水と混合されたときに、自発的にまたはわずかな機械的なかき混ぜ後、例えば撹拌後に形成する。このエマルションは、例えば、金属加工の際の洗浄、防食または冷却潤滑剤エマルションとして使用できる。
【００６４】
したがって、本発明は、成分（ａ）〜（ｃ）または（ａ）〜（ｄ）から構成される組成物の、成分（ａ）〜（ｃ）または（ａ）〜（ｄ）から構成される本発明の組成物の５％〜４０質量％、好ましくは１０％〜３０質量％、より好ましくは１５％〜２５質量％と、成分（ａ）〜（ｃ）または（ａ）〜（ｄ）の本発明の組成物および一種または二種以上の油を含む総量に基づいて６０％〜９５質量％、好ましくは７０％〜９０質量％、より好ましくは７５％〜８５質量％の量の一種または二種以上の油とを混合させることによってエマルジョン濃縮物を製造するための使用をさらに提供する。
【００６５】
同様に好ましい実施態様では、成分（ａ）〜（ｃ）または（ａ）〜（ｄ）を含む上記本発明の組成物（パフォーマンスパッケージング）の４０％〜７０質量％、好ましくは４５％〜６０質量％、より好ましくは５０質量％〜５５質量％を、上記組成物と一種または二種以上の油との完成混合物に基づいて３０％〜６０質量％、好ましくは４０％〜５５質量％、より好ましくは４５％〜５０質量％の量の一種または二種以上の油と混合させる。
【００６６】
一種または二種以上の油として有用な油としては、鉱油、特に４０℃で測定された５〜１０００、好ましくは１０〜１００、特に好ましくは５〜５０ｍｍ２／ｓの動粘度を有する鉱油、パラフィン、イソパラフィン、シクロパラフィン（ナフテン、飽和環状炭化水素）、芳香族炭化水素、合成油、例えばポリα−オレフィン、ポリアルキレングリコール（ＰＡＧ）およびエステル油が挙げられる。
【００６７】
好ましいエステル油は、
・一価アルコールのエステル、
例えばラウリン酸ｎ−ブチル、パルミチン酸／ステアリン酸ｎ−ブチル、パルミチン酸／ステアリン酸ｎ−ブチル、ｉ−ノナン酸セチルステアリル、オレイン酸デシル、２−エチルヘキシルヤシ脂肪酸エステル、オレイン酸２−エチルヘキシル、パルミチン酸／ステアリン酸２−エチルヘキシル、２−エチルヘキシル獣脂脂肪酸エステル、パルミチン酸／ステアリン酸２−ヘキシルデシル、ラウリン酸ｎ−ヘキシル、オレイン酸ｉ−ブチル、パルミチン酸／ステアリン酸ｉ−ブチル、ｉ−ブチル獣脂脂肪酸エステル、ｉ−ブチル混合脂肪酸エステル、パルミチン酸／ステアリン酸ｉ−ノニル、ミリスチン酸ｉ−プロピル、パルミチン酸ｉ−プロピル、パルミチン酸／ステアリン酸ｉ−プロピル、パルミチン酸／ステアリン酸ｉ−トリデシル、ヤシ脂肪アルコールパルミテート／ステアレート、カプリン酸ｎ−オクチル、エルカ酸オレイル、オレイン酸オレイル、パルミチン酸／ステアリン酸セチルステアリル、ベヘン酸セチルステアリル、
・グリセロールエステル、
例えばグリセロールジオレエート、グリセロールジパルミテート／−ステアレート、グリセロールジエステル、グリセロールモノベヘネート、グリセロールモノミリステート、グリセロールモノオレエート、グリセロールモノリシノレエート、グリセロールモノ獣脂脂肪酸エステル、グリセロールトリ脂肪酸エステル、グリセロールトリヒドロステアレート、グリセロールトリオレエート、グリセロールトリステアレート、
・ポリオールエステル、
例えばペンタエリトリトールテトラカプリネート／−カプリレート、ペンタエリトリトールジオレエート、ペンタエリトリトールテトラオレエート、ペンタエリトリトールパルミテート／ステアレート、ポリオールカプリネート／カプリレート、トリメチロールプロパントリ脂肪酸エステル、
・グリコールエステル、
例えばエチレングリコールモノパルミテート／−ステアレート、エチレングリコールジパルミテート／−ステアレート、ポリグリコールエステル、ポリグリコールオレエート、プロピレングリコールカプリネート／カプリレート、プロピレングリコールオレエート、トリエチレングリコールジパルミテート／−ステアレート、トリエチレングリコールジカプリネート／−カプリレート、
・ジカルボン酸エステル、
例えばアジピン酸ジ−ｎ−ブチル、セバシン酸ジ−ｎ−ブチル、セバシン酸ジ−ｎ−エチルヘキシル、アジピン酸ジオクチル、フタル酸ジセチルステアリル、フタル酸オレイルステアリル、
・ポリオール部分エステル、
例えばプロピレングリコールカプリネート／カプリレート、プロピレングリコールオレエート、トリエチレングリコールジパルミテート／−ステアレート、トリエチレングリコールジカプリネート／−カプリレート
である。
【実施例】
【００６８】
例
特に明記しない限り、全てのパーセンテージは、質量パーセント（質量％）を意味すると理解すべきである。
【００６９】
脱イオン水（Ｈ２Ｏ、ｄｅｍ．）と比較した場合のＮ−メチル−Ｎ−Ｃ１２−アシルグルカミンとＮ−メチル−Ｎ−Ｃ１４−アシルグルカミンとの混合物（Ｇｌｕ１）およびＮ−メチル−Ｎ−Ｃ１６−アシルグルカミンとＮ−メチル−Ｎ−Ｃ１８−アシルグルカミンとの混合物（Ｇｌｕ２）が鉄に及ぼす腐食抑制効果の測定。
【００７０】
腐食防止試験を、ＤＩＮ５１３６０−２に従って実施し、その際に、円形フィルター上の灰色の鉄研削屑（ＧＧ２５型）を脱イオン水中の異なる希釈溶液で新鮮な（Ｇｌｕ１）および（Ｇｌｕ２）の準備された溶液を通した。溶液によって、および比較のために脱イオン水によって、フィルター紙上の灰色の鉄研削屑をそれぞれ２時間にわたって湿らせ、、そしてろ紙上に形成された腐食残渣を評価した。
【００７１】
腐食を、ＤＩＮ５１  ３６０−２に従って次のように評価する：
０腐食なし／変化なし
１腐食の痕跡／３個以下の腐食痕
２わずかな腐食／表面の１％以下が変色
３中程度の腐食／表面の５％以下が変色
４激しい腐食／表面の５％超が変色。
【００７２】
結果を表１に示す
【００７３】
【表１】
2017514987.tif 000007
【００７４】
トール油脂肪酸（ＴＯＦＡ）、ヤシ脂肪酸（ＣＣ）及びモノ−またはジ−またはトリエタノールアミンの存在下でＮ−メチル−Ｎ−Ｃ１２−アシルグルカミンとＮ−メチル−Ｎ−Ｃ１４−アシルグルカミンとの混合物（Ｇｌｕ１）及びＮ−メチル−Ｎ−Ｃ１６−アシルグルカミンとＮ−メチル−Ｎ−Ｃ１８−アシルグルカミンとの混合物（Ｇｌｕ２）が鉄に及ぼす腐食抑制効果のＤＩＮ５１  ３６０−２による測定。
【００７５】
【表２】
2017514987.tif 000008
【００７６】
腐食防止試験を、ＤＩＮ５１３６０−２に従って実施し、その際に、円形フィルター上の灰色の鉄研削屑（ＧＧ２５型）を、それぞれの場合において表２に係る試験配合物１〜９を２０のドイツ硬度（２０°ｄＨ）を有する水に溶解してなる２％溶液でそれぞれ２時間にわたって湿らせ、そしてろ紙上に形成された腐食残渣を評価した。その結果を表３に示した。
【００７７】
【表３】
2017514987.tif 000009
【００７８】
トール油脂肪酸およびモノ−またはジ−またはトリエタノールアミンの存在下でのアルミニウムに及ぼす腐食抑制作用（Ｇｌｕ２）の決定。
【００７９】
腐食保護試験を、ＥＥＨ１０２０−ＡＡ−１０４９に従ってアルミニウム合金のＡｌＺｎＭｇＣｕ１．５およびＡｌＭｇＳｉ１により実施する。表１からの２％試験配合物を、それぞれ２０のドイツ硬度（２０°ｄＨ）を有する水で調製し、上記合金の試験片を４０℃の溶液中に半分浸し、そしてそこで２４時間静置した。その後、試験片を溶液から引き出し、脱イオン水ですすぎ、次いでアセトンですすぎ、そして乾燥させる。試験片の溶液に浸漬された部分（溶液）と露出部分（雰囲気）の両方をＤＩＮ５１  ３６０について上述した基準に従って評価する。
【００８０】
結果を表４にまとめた。
【００８１】
【表４】
2017514987.tif 000010
【国際調査報告】
2017514987.tif 000013
2017514987.tif 000014
2017514987.tif 000015
2017514987.tif 000016